(57)【要約】【課題】  使用者データ領域とリードアウト領域とのウォッブル特性を異なるように形成した光記録媒体を提供する。【解決手段】  使用者データ領域１２０及びリードアウト領域１３０を含む光記録媒体であって、使用者データ領域１２０及びリードアウト領域１３０がグルーブ１２３とランド１２５よりなっており、グルーブ１２３の少なくとも一側面にウォッブル１３５が形成されており、リードアウト領域１３０のウォッブル特性と使用者データ領域１２０とのウォッブル特性が異なるように形成されたことを特徴とする。これにより、ウォッブルを相異なる形に形成することによってピックアップによる再生時、ピックアップの使用者データ領域からの離脱を防止し、多層の光記録媒体で第１層の全領域が同条件の構造とさせることによって第１層での透過率の差による再生及び/または記録の劣化を防止する。【選択図】  図５
2006004629.tif 000002
【特許請求の範囲】
【請求項１】
使用者データ領域及びリードアウト領域を含む光記録媒体であって、
前記使用者データ領域及びリードアウト領域がグルーブとランドよりなっており、前記グルーブとランドの少なくとも一方にウォッブルが形成されており、前記リードアウト領域のウォッブル特性が前記使用者データ領域のウォッブル特性と異なるように形成され、
前記リードアウト領域のウォッブルは、アドレッシング情報または基準時間情報を含むとともに、前記使用者データ領域でのウォッブルの周波数、周期、振幅及び位相のうち少なくとも何れか１つを変調して形成されたことを特徴とする光記録媒体。
【請求項２】
使用者データ領域とリードアウト領域を有し、
前記使用者データ領域とリードアウト領域は、それらに形成されたグルーブとランドを各々有するとともに、使用者データ領域のウォッブルは、使用者データ領域のグルーブの少なくとも側面に形成され、光記録媒体上に記録し及びまたはそのような光記録媒体から再生する方法であって、
リードアウト領域のウォッブルは、光記録媒体のリードアウト領域に形成され、使用者データ領域の使用者データ領域の使用者データウォッブルとは異なり、アドレッシング情報または基準時間情報を含み、前記リードアウト領域のウォッブルを用いて光記録媒体上にデータを記録及び／又は光記録媒体からデータを再生することを特徴とする方法。
【発明の詳細な説明】
【技術分野】
【０００１】
本発明は光記録媒体に係り、特に使用者データ領域とリードアウト領域のグルーブの少なくとも一側面にウォッブルを備えて使用者データ領域とリードアウト領域のウォッブル特性を異なるように形成した光記録媒体に関する。
【背景技術】
【０００２】
一般に光記録媒体は非接触式で情報を記録及び/または再生する光ピックアップ装置の情報記録媒体として広く採用され、情報記録容量によってコンパクトディスク(CD;compact disk)、デジタル多機能ディスク(DVD;digital versitile disk)に区分される。さらに、情報の記録、消去及び再生が可能なDVD系の光ディスクとして、DVD-RAM(random access memory)とDVD-RW(rewritable)とがある。
【０００３】
このようなDVD-RAM、DVD-RWディスクは図１に示されたようにディスクの大きさや判読面のトラック層数、複写防止情報などの再生専用データが記録されるリードイン領域１０、反復再生及び/または記録可能な使用者データ領域２０及びその他のディスクに関連した情報が記録されるリードアウト領域３０に分けられる。
【０００４】
前記使用者データ領域２０は図１においてC部を拡大したことを参照すれば、一定のトラックに沿って情報マーク２７の記録及び/または再生が行われるようにグルーブ２３とランド２５とが交互に形成されている。部材番号４０は再生ビームを示す。前記リードイン領域１０及びリードアウト領域３０の一部(A部及びB部)を拡大して見ると物理的な形態のピット１５が形成されており、これは再生専用データである。ここで、前記リードアウト領域３０は多様な機能を行うが、まず光ピックアップによる記録/再生時に光ピックアップが使用者データ領域を離脱しないようにガードする機能を行う。特に、図２に示されたように第１層L０及び第２層L１の記録層を有する二重層の光記録媒体において前記第１及び第２記録層L０、L１が逆トラック経路を有する場合、第１記録層L０の最外周から第２記録層L１の最外周に層間移動をする時、トラックを離脱せずにトラッキングを保たせる。逆トラック経路は第１記録層L０の内周面から外周面に、続いて第２記録層L１の外周面から内周面に順次にアドレッシングされる場合を意味する。
【０００５】
二重層の場合ROMで第２層の再生方法によってリードアウトの役割をする領域が変わる。逆トラック経路の場合、第１層と第２層の外周部にリードアウト領域の代わりにミドル領域が別に定義される。ところが、記録可能な光記録媒体で単層ディスクの場合には既存のDVD-RAM、RWのようにピット及びグルーブを同時に使用しうる。しかし、二重層の場合、データの記録時、第１層L０の物理的形状によって記録パワーが影響を受ける問題点がある。言い換えれば、第２層L１への記録時、記録光が第１層L０を通過することになるが、この際、ピットのある部分とグルーブのある部分とで透過率に差が生じる。
【０００６】
第１層の条件によって透過率差による光パワーがどのように変わるかシミュレーションするために、図３Ａ、図３Ｂ、図３Ｃ及び図３Ｄに示されたようにミラー領域、ピット領域、グルーブ領域及びマークが形成されたグルーブ領域のそれぞれに対して測定した。ここで、光パワーの測定時、第１層L０でレンズを通過したレーザービームに捕捉されるトラックの数を考慮した。
【０００７】
次は入力パラメータ及び実験のための項目を図表化したものである。ここで、Rcは記録層の結晶部分での反射率を、Raは非晶質部分での反射率を各々示す。
【０００８】
【表１】
2006004629.tif 000003
【０００９】
【表２】
2006004629.tif 000004
【００１０】
図４は図３Ａ、図３Ｂ、図３Ｃ及び図３Ｄのそれぞれの場合に対して透過率による光パワーを測定した結果を示したグラフである。シミュレーション結果によれば、透過量はミラー基板で最も高く、ピット領域、グルーブ領域及びマークが形成されたグルーブの順に減少する。ピット領域とグルーブ領域ではトラックピッチが狭くなるほど透過された光量が少なくなる。
【００１１】
実験の結果、二重層のディスクの場合、第１層L０の物理的な形態によって透過率が変わるために第２層L１へのデータ記録時に記録パワーに影響を与えるということがわかる。これに第１層の物理的な形態を統一させることが要求され、これによりリードアウト領域またはミドル領域を新たに定義する必要がある。
【発明の開示】
【発明が解決しようとする課題】
【００１２】
本発明は前記問題点を解決するために案出されたものであって、記録パワーに影響を与えずに記録及び/または再生時、ピックアップの使用者データ領域からの離脱を防止しうるリードアウト領域を有する光記録媒体を提供することにその目的がある。
【課題を解決するための手段】
【００１３】
前記問題点を解決するために本発明に係る光記録媒体は、使用者データ領域及びリードアウト領域を含む光記録媒体であって、前記使用者データ領域及びリードアウト領域がグルーブとランドよりなっており、前記グルーブの少なくとも一側面にウォッブルが形成されており、前記リードアウト領域のウォッブル特性が前記使用者データ領域のウォッブル特性と異なるように形成されたことを特徴とする。
【００１４】
また、前記リードアウト領域のウォッブルは、前記使用者データ領域でのウォッブルの周波数、周期、振幅及び位相のうち少なくとも何れか１つを変調して形成したことを特徴とする。
【００１５】
また、前記ウォッブルはアドレッシング情報または基準時間情報PLLを含むことを特徴とする。
【００１６】
また、前記使用者データ領域とリードアウト領域のグルーブから読出された信号のシンクパターンが相異なることを特徴とする。
【００１７】
また、前記光記録媒体の最外周部に所定の記録パターンを記録し、記録及び/または再生時にピックアップのデータ領域からの離脱を防止することを特徴とする。
【００１８】
また、多層記録可能に少なくとも２層以上の記録層を含むことを特徴とする。
【００１９】
また、前記少なくとも２層以上の記録層は、各記録層のリードアウト領域毎に記録パターンが異なるように記録されたことを特徴とする。
【００２０】
また、前記リードアウト領域は、ディスクの最大偏心許容値の２倍以上の幅を有することを特徴とする。
【００２１】
本発明に係る光記録媒体は、使用者データ領域及びリードアウト領域を含む光記録媒体であって、前記光記録媒体の最外周部に所定の記録パターンを記録し、記録及び/または再生時にピックアップの使用者データ領域からの離脱を防止することを特徴とする。
【００２２】
本発明に係る光記録媒体は、使用者データ領域及びリードアウト領域を含む光記録媒体であって、前記使用者データ領域及びリードアウト領域がグルーブとランドよりなっており、前記使用者データ領域とリードアウト領域のシンクパターンを相異なる形に使用することを特徴とする。
【発明を実施するための最良の形態】
【００２３】
以下、添付した図面に基づいて本発明を詳しく説明する。
図５を参照すれば、本発明に係る光記録媒体はリードイン領域１００、使用者データ領域１２０及びリードアウト領域１３０を含み、前記リードイン領域１００、使用者データ領域１２０及びリードアウト領域１３０はグルーブ１２３とランド１２５よりなっており、前記グルーブ１２３及びランド１２５の少なくとも一方にはウォッブル１０５、１３５が形成されていることを特徴とする。ここで、使用者データ領域１２０の一部(E部)及びリードアウト領域１３０の一部(D部)を拡大して示し、部材番号１１０はレーザービームを示す。
【００２４】
前記リードアウト領域１３０は前述したようにピックアップによるデータ記録及び/または再生時に光ピックアップ(図示せず)の使用者データ領域１２０からの離脱を防止し、二重層の場合にディスクの最外周で層間ジャンプ時、トラッキングを保たせるガードとしての機能を行う。
【００２５】
前記ガードとしての機能を行うために本発明に係る第１実施形態は光記録媒体の所定の半径以上の領域では前記使用者データ領域１２０でのウォッブル１０５と相違なる形のウォッブルを形成する。すなわち、前記使用者データ領域１２０とリードアウト領域１３０でウォッブル１０５、１３５の周期、周波数、振幅及び位相のうち少なくとも何れか１つを変調する。例えば、ウォッブル１０５、１３５の周波数を変調する場合、前記リードアウト領域１３０のウォッブル１３５は使用者データ領域１２０でのウォッブル１０５の基本周波数に対してn(nは実数)倍の周波数を有するように形成しうる。一例としてリードアウト領域１３０でのウォッブル１３５の周波数を使用者データ領域１２０の２倍にすることによってガード機能を行わせうる。
【００２６】
または、ウォッブルの周期Tを変調する場合、例えば使用者データ領域１２０のウォッブル１０５には２００T、リードアウト領域１３０のウォッブル１３５には１００Tのウォッブルを記録してリードアウト領域を識別しうる。ここで、ディスクの製造後、前記リードアウト領域に００hパターンを記録しうる。これにより、記録再生時チャンネル１（Ch１）によっては００hパターンを判読し、チャンネル２（Ch２）によってはウォッブル周波数または周期を判読して二重にリードアウト領域１３０を確認しうる。
【００２７】
一方、第２実施形態によれば光記録媒体を初期化する時、前記リードアウト領域１３０に所定の記録パターンを記録することによってリードアウト領域を識別可能にする。
【００２８】
前記所定の記録パターンは前記使用者データ領域１２０で使われた記録パターンでありうる。言い換えれば、使用者データ領域１２０で使われた記録パターンのうち所定の記録パターン、例えば、００hパターンを前記リードアウト領域１３０に反復して記録することによってリードアウト領域を認識する。
【００２９】
さらに他の方法として、前記使用者データ領域１２０で使われていない記録パターンをリードアウト領域１３０に記録することによって前記リードアウト領域１３０であることを認識させうる。例えば、使用者データ領域１２０には００hパターンを、リードアウト領域１３０ではFFhパターンを記録する。ここで、００hやFFhは１６進法による記録パターンの一種である。
【００３０】
第３実施形態によれば、光記録媒体は使用者データ領域１２０及びリードアウト領域１３０を含み、前記使用者データ領域１２０及びリードアウト領域１３０はグルーブ１２３とランド１２５よりなっており、前記使用者データ領域１２０とリードアウト領域１３０で相異なる形のシンクパターンを使用する。したがって、シンクパターンを認識してリードアウト領域１３０を識別することによって記録及び/または再生時に光ピックアップの使用者データ領域１２０からの離脱を防止しうる。
【００３１】
ここで、前記リードアウト領域１３０の幅は(ディスクの最大偏心許容値×２)以上に定め、望ましくは１００μm以上にする。
【００３２】
また、本発明にともなう光記録媒体は少なくとも２層以上の記録層を有する多層の光記録媒体において、使用者データ領域１２０とリードアウト領域１３０とを含み、前記使用者データ領域１２０とリードアウト領域１３０とがグルーブ１２３及びランド１２５で形成されていることを特徴とする。
【００３３】
前記グルーブ１２３及びランド１２５の少なくとも一方にウォッブル１０５、１３５が形成される。前記ウォッブル１０５、１３５はアドレッシング情報または基準時間情報を含み、記録及び/または再生時に光ピックアップのデータ領域からの離脱を防止するために前記使用者データ領域１２０とリードアウト領域１３０とにあるウォッブル１０５、１３５を相異なる形に変調しうる。そして、少なくとも２層以上の記録層を有する多層の光記録媒体で各記録層を区別するために各記録層のリードアウト領域毎に記録パターンを変えて形成する。例えば、二重層の場合、第１層のリードアウト領域には００h、第２層のリードアウト領域にはFFhを記録しうる。このようにすれば、光記録媒体の記録及び/または再生時にチャンネル１（Ch１）によっては記録パターンを判読し、チャンネル２（Ch２）によってはウォッブルの変調方式によるウォッブル信号を判読することによってピックアップのデータ領域からの離脱を防止すると共に各記録層を識別しうる。
【００３４】
一方、層間移動時、トラックを維持可能に前記リードアウト領域１３０の幅はディスクの最大偏心許容値の２倍以上に定められる。ディスクの製造時、射出によるディスクの偏心が約５０μmとすれば、前記リードアウト領域１３０の幅は１００μm以上にする。
【００３５】
さらに他の実施形態として、少なくとも２層以上の記録層を有する多層の光記録媒体において各記録層を区別するために、前記リードアウト領域１３０でのシンクパターンを各記録層毎に変えて使用しうる。こうして第１層の構造を同じ条件として透過量を均一にしうる。
【００３６】
一方、本発明の実施形態に係る光記録媒体は前記グルーブ１２３及びランド１２５のうち少なくとも何れか一箇所に記録可能である。
【００３７】
〔発明の効果〕
前述したように本発明に係る光記録媒体は、使用者データ領域とリードアウト領域とをグルーブとして形成し、グルーブの少なくとも一側面にウォッブルを相異なる形に形成することによってピックアップによる再生時、ピックアップの使用者データ領域からの離脱を防止する。また、多層の光記録媒体で第１記録層の全領域が同条件の構造を有させることによって第１記録層での透過率の差による再生及び/または記録の劣化を防止する。
【図面の簡単な説明】
【００３８】
【図１】従来の光記録媒体の概略的な構成図及びA、B、C部分の拡大図である。
【図２】従来の二重層の光記録媒体の概略的な断面図である。
【図３Ａ】従来の光記録媒体の多様な構造を示す図面である。
【図３Ｂ】従来の光記録媒体の多様な構造を示す図面である。
【図３Ｃ】従来の光記録媒体の多様な構造を示す図面である。
【図３Ｄ】従来の光記録媒体の多様な構造を示す図面である。
【図４】従来の光記録媒体の構造についての光パワーの実験結果を示すグラフである。
【図５】本発明に係る光記録媒体の概略的な構成図及び一部拡大図である。
【符号の説明】
【００３９】
１００  リードイン領域
１０５、１３５  ウォッブル
１１０  レーザービーム
１２０  使用者データ領域
１２３  グルーブ
１２５  ランド
１３０  リードアウト領域
【図１】
2006004629.tif 000005
【図２】
2006004629.tif 000006
【図３Ａ】
2006004629.tif 000007
【図３Ｂ】
2006004629.tif 000008
【図３Ｃ】
2006004629.tif 000009
【図３Ｄ】
2006004629.tif 000010
【図４】
2006004629.tif 000011
【図５】
2006004629.tif 000012